(57)【要約】      （修正有）【課題】光合成に必要な日照量の不足をもたらしてしまうことなく、農業用温室に入射する太陽光により発生する熱による、農業用温室における過度な温度上昇を防止する農業用温室用フィルム、ガラス、合成樹脂シート、又は合成樹脂板、及びそれらを用いた農業用温室を提供する。【解決手段】農業用温室に用いるフィルム、ガラス、合成樹脂シート、又は合成樹脂板は、太陽光のうち緑の波長領域の光りを遮断することを特徴とする。農業用温室は、前記フィルム、ガラス、合成樹脂シート、又は合成樹脂板が被せられていることを特徴とする。【選択図】図１
0003151682.tif 000002
【実用新案登録請求の範囲】
【請求項１】
農業用温室に用いるフィルムまたはガラスであって、
太陽光のうち緑の波長領域の光を遮断することを特徴とする
農業用温室に用いるフィルムまたはガラス。
【請求項２】
農業用温室に用いる合成樹脂シートまたは合成樹脂板であって、
太陽光のうち緑の波長領域の光を遮断することを特徴とする
農業用温室に用いる合成樹脂シートまたは合成樹脂板。
【請求項３】
農業用温室であって、
請求項１係るフィルムまたはガラスが被せられていることを特徴とする農業用温室。
【請求項４】
農業用温室であって、
請求項２に係る合成樹脂シートまたは合成樹脂板が被せられていることを特徴とする農業用温室。
【請求項５】
農業用温室であって、
前記農業用温室に用いるフィルムまたはガラスは、太陽光のうち緑の波長領域の光を遮断するフィルムまたはガラスであることを特徴とする農業用温室。
【考案の詳細な説明】
【技術分野】
【０００１】
本考案は、農業用の温室に使用されるフィルムまたはガラスに関し、特に、温室内の温度の調整を可能とするフィルムまたはガラスに関する。
【背景技術】
【０００２】
従来の栽培用温室に用いるフィルムとしては、合成樹脂フィルムが用いられている。
しかしながら、従来の合成樹脂フィルムは、特に夏場に昼間の太陽光を透過し過ぎて、熱エネルギーとして温室内を昇温し、植物に対して過度な温度の上昇を招く為、それを防ぐことが課題となる。
【０００３】
このような課題に対して、文献１には合成樹脂フィルムの表面にごく薄い金属層を蒸着したものを用いて、赤外線を反射したものが開示されている。更には合成樹脂に赤外線の吸収剤を練りこんだものも実用化されている。
【０００４】
しかしながら、この場合でも可視光線の透過によって過度な温度上昇を抑えるにはいたっていない。
【０００５】
ここで、考案者は、植物の光合成に寄与する波長に注目し、太陽光のうち緑色成分は光合成に寄与する割合が相対的に低いことに着目した。そこで、栽培用温室に用いるフィルムまたはガラスに太陽光のうち緑色成分を透過させない機能を持たせることにより、温室内の過度な温度の上昇を防ぐのに寄与し得ると考えた。
【先行技術文献】
【特許文献】
【０００６】
【特許文献１】特公昭５９−１３３２５
【考案の概要】
【考案が解決しようとする課題】
【０００７】
本考案は、農業用温室に用いるフィルムまたはガラスとして太陽光のうち緑色成分を透過させないあるいは吸収するフィルムまたはガラスを用いることにより、光合成の効率を低下させることなく、温室内の過度な温度の上昇を防ぐのに寄与し得る農業用温室に用いるフィルムまたはガラスを提供することを目的とする。
【課題を解決するための手段】
【０００８】
請求項１に記載された考案は、
農業用温室に用いるフィルムまたはガラスであって、
太陽光のうち緑の波長領域の光を遮断することを特徴とする。
【０００９】
請求項２に記載された考案は、
農業用温室に用いる合成樹脂シートまたは合成樹脂板であって、
太陽光のうち緑の波長領域の光を遮断することを特徴とする。
【００１０】
請求項３に記載された考案は、
農業用温室であって、
請求項１に係るフィルムまたはガラスが被せられていることを特徴とする。
【００１１】
請求項４に記載された考案は、
農業用温室であって、
請求項２に係る合成樹脂シートまたは合成樹脂板が被せられていることを特徴とする農業用温室。
【００１２】
請求項５に記載された考案は、
農業用温室であって、
前記農業用温室に用いるフィルムまたはガラスは、太陽光のうち緑の波長領域の光を遮断するフィルムまたはガラスであることを特徴とする。
【考案の効果】
【００１３】
農業用温室を作成する際に用いるフィルムまたはガラスとして太陽光のうち緑色成分を透過させないフィルムまたはガラスを用いることにより、光合成の効率を低下させることなく、温室内の温度の上昇を防ぐことが可能となり、農業用温室を維持管理するためのエネルギーの消費を節減できる。従来は、温室内の温度が過剰に上昇した場合には冷却機等による温度上昇の防止が必要であった。
【図面の簡単な説明】
【００１４】
【図１】本考案に係る農業用温室に用いるフィルムまたはガラスの概略を説明するための説明図である。
【図２】公知の農業用温室に本考案に係る太陽光のうち緑の波長領域の光を遮断する農業用温室に用いるフィルムまたはガラスもしくは合成樹脂シートまたは合成樹脂板を被せている概略を説明するための斜視図である。
【考案を実施するための形態】
【００１５】
図１は本考案に係る農業用温室に用いるフィルムまたはガラスの概略を説明するための説明図である。
図１において、１００は農業用温室であり、１１０は温室１００の内部の空間を意味する。１２３は本考案に係る農業用温室に用いるフィルムまたはガラスであり、１２４は温室１００のフィルムまたはガラスを支える軸組みであり、本考案においては、その形状・構造に特徴はないので、公知の形状・構造でよい。
１０３は栽培中の野菜の葉の部分である。１０１は農業用温室１００に入射する太陽光線のうち栽培中の野菜の葉の部分への入射光線である。厳格には本考案に係る農業用温室に用いるフィルムまたはガラスを通過した後の入射光線１０１は、太陽光のうち緑の波長領域の光を含まない光線であり、本考案に係るフィルムまたはガラスを通過する前の入射光線１０１とは含有する波長成分が異なるという点では同じ光線ではないが、説明の容易のために同じ入射光線１０１としている。１０２は栽培中の野菜の葉の部分１０３への入射光線１０１の反射光線である。従来の温室の場合には、葉の部分が緑に見えるということは、農業用温室１００に入射する太陽光線のうち緑に見える波長領域の光線は野菜に吸収されていないことを意味する。なお、本考案に係る農業用温室に用いるフィルムまたはガラスを通過した後の入射光線１０１は、太陽光のうち緑の波長領域の光を含まないので、温室内においては葉の部分が緑には見えないが説明の容易のためにこのような表現としている。
【００１６】
一方、この反射光１０２は熱エネルギーとなり温室１００の内部の空間１１０の温度を上昇させる。この温度上昇は外気温との関係で、不必要な場合もあり、その場合には温室内を冷却する必要がある。
【００１７】
他方、植物を効率的に成長させるためには光合成に必要な太陽光線は最大限取り込む必要がある。そこで、本考案においては太陽光線から光合成には不必要な波長と考えられる波長の光線成分を排除することにより、光合成の効率低下を招くことなく、外気温との関係で、温室内を冷却する必要性を少なくすることが可能と考えられる。
【００１８】
１２３は太陽光のうち緑の波長領域の光を遮断するフィルムまたはガラスである。１２４は農業用温室の骨組みとなる部分である。
【００１９】
また、農業用温室には、公知の農業用温室を用いて、該温室に本考案に係る太陽光のうち緑の波長領域の光を遮断する農業用温室に用いるフィルムまたはガラスもしくは合成樹脂シートまたは合成樹脂板を被せても良い。
図２は公知の農業用温室に本考案に係る太陽光のうち緑の波長領域の光を遮断する農業用温室に用いるフィルムまたはガラスもしくは合成樹脂シートまたは合成樹脂板を被せている概略を説明するための斜視図である。
図２において、２１０は公知の農業用温室であり、２０１は本考案に係るフィルムである。
【００２０】
なお、本考案は、特定の波長の光線を遮断する方法には特徴はなく太陽光のうち緑の波長領域の光を遮断する方法については公知の方法でよい。
【産業上の利用可能性】
【００２１】
農業用温室の維持に必要なエネルギーを節減できる。
【符号の説明】
【００２２】
１００      農業用温室
１０１      農業用温室１００に入射する太陽光線のうち栽培中の野菜の葉の部分への入射光線
１０２      栽培中の野菜の葉の部分１０３への入射光線１０１の反射光線
１０３      栽培中の野菜の葉の部分
１１０      温室１００の内部の空間
１２３      本考案に係る農業用温室に用いるフィルムまたはガラス
１２４      農業用温室の骨組み
【図１】
0003151682.tif 000003
【図２】
0003151682.tif 000004